(57)【要約】【課題】磁束分布がギャップ部分で樽型に膨らまないように磁束分布を整流し、平行磁界に近い形の磁束分布を、ギャップ面積を広げることなく得る。【解決手段】対向するポールにより形成された一つのエアギャップをもつコイルコアにおいて、上記対向するポールそれぞれの外周に、上記ギャップ方向に突出し、ギャップ内部の磁束密度分布を均一化する磁束整流板を設け、該磁束整流板は、上記ポールの対向面縁部からギャップ外方に向かって薄くなるように離反する、楔状突き出し部分を有する。【選択図】図２
2009004696.tif 000002
【特許請求の範囲】
【請求項１】
対向するポールにより形成された一つのエアギャップをもつコイルコアにおいて、
上記対向するポールそれぞれの外周に、上記ギャップ方向に突出し、ギャップ内部の磁束密度分布を均一化する磁束整流板を設けたこと、を特徴とする平行磁界を発生させるコイルコア。
【請求項２】
請求項１記載の平行磁界を発生させるコイルコアにおいて、上記磁束整流板は、上記ポールの対向面縁部からギャップ外方に向かって薄くなるように離反する、楔状突き出し部分を有する平行磁界を発生させるコイルコア。
【請求項３】
請求項１または２記載の平行磁界を発生させるコイルコアにおいて、上記コアは、少なくとも上記ポールが矩形の断面をもつ一定太さのＣ字型である平行磁界を発生させるコイルコア。
【請求項４】
請求項１乃至３のいずれか一項記載の平行磁界を発生させるコイルコアにおいて、上記磁束整流板は、上記ポールの対向する外周面または全外周面に設けられている平行磁界を発生させるコイルコア。
【請求項５】
請求項１乃至４のいずれか一項項記載の平行磁界を発生させるコイルコアにおいて、上記磁束整流板は、上記コイルコアとは別体として形成され、前記ポールの外面に貼られている平行磁界を発生させるコイルコア。
【請求項６】
請求項１または２記載の平行磁界を発生させるコイルコアにおいて、上記コアは、少なくとも上記ポールが円形の断面をもつ一定太さのＣ字型である平行磁界を発生させるコイルコア。
【請求項７】
請求項６記載の平行磁界を発生させるコイルコアにおいて、上記磁束整流板は、上記コアとは別体として形成され、上記ポールに嵌合される円筒形状である平行磁界を発生させるコイルコア。
【請求項８】
請求項３乃至７のいずれか一項記載の平行磁界を発生させるコイルコアにおいて、上記コアが正方向形または円形の断面の場合は一辺の長さまたは太さを３、上記コアが長方形の断面の場合は幅を３、奥行きを３以上とし、上記磁束整流板の厚さを０．５、ギャップ長を４、上記Ｃ字型コアの内径を１０×４以上として、上記磁束整流板の楔状突き出し部分の長さを０．３２〜０．３５とした平行磁界を発生させるコイルコア。
【請求項９】
請求項８記載の平行磁界を発生させるコイルコアにおいて、上記整流板の縦方向の長さは２以上である平行磁界を発生させるコイルコア。
【発明の詳細な説明】
【技術分野】
【０００１】
本発明は、ギャップに平行磁界を発生させるコイルコアに関する。
【背景技術】
【０００２】
従来、例えばハードディスク装置等で使用される磁気ヘッドの磁気特性を、外部平行磁界をかけて測定する方法が知られている。平行磁束を発生させる装置として、対向するポール間にギャップを形成するコイルコアが知られている。コアコイルとしては、Ｃ字型（特許文献１）や（図４（Ａ））、一対のＥ字型を対向させた形状のものが知られている（図４（Ｂ））。Ｃ字型のコアコイル１０１は、対向する一対のポール１０３の先端面間にエアギャップ１０５が形成されていて、コイル１０７に電流が流されると、エアギャップ１０５に磁束を発生する。Ｅ字型のコアコイル２０１も同様に、対向する一対のポール２０３の先端面間にエアギャップ２０５が形成されていて、コイル２０７に電流が流されるとエアギャップ１０５に磁束を発生する。
【０００３】
従来のコイルコアは、ギャップ１０５、２０５内に被測定物を挿入すると、ギャップ内の磁束が乱れてしまう。例えば、Ｃ字型コアコイル１０１のギャップ１０５内の磁束は図６のように樽型に外側に膨らんで分布するので、ポール１０３近傍に比べてギャップ１０５の中央の磁束密度が低くなる。そのため従来は、予め挿入位置に応じた磁束の乱れを補正する補正値を求めておいて、測定値をその補正値により補正していた。
【特許文献１】特開２００５-２７７０９８号公報
【発明の開示】
【発明が解決しようとする課題】
【０００４】
被測定物をギャップ内においてもギャップ内の磁場が乱れを少なくし、ギャップ内における磁場を均一化し、磁束を平行に近づけるためには、平坦なギャップの面積を広くする、ギャップ間距離に比べてギャップ面積を大きく取り、ギャップを無限大平面に近づけるしかなかった。
【０００５】
しかし、ギャップ面積が大きくなればコアが太くなり、磁束密度が減るので、一定の磁束密度を保つためには大きな起磁力が必要になる。そのためにはコイルのインダクタンスを大きくするか、印加電流を大きくする必要があった。コアが太くなること自体によるコストも上昇する
【０００６】
かかる従来技術の課題に鑑みて本発明は、磁束分布がギャップ部分で樽型に膨らまないように磁束分布を整流し、平行磁界に近い形の磁束分布を、ギャップ面積を広げることなく得ることを目的とする。
【課題を解決するための手段】
【０００７】
かかる目的を達成する本発明にかかる平行磁界を発生させるコイルコアは、対向するポールにより形成された一つのエアギャップをもつコイルコアにおいて、上記対向するポールそれぞれの外周に、上記ギャップ方向に突出し、ギャップ内部の磁束密度分布を均一化する磁束整流板を設けたこと、に特徴を有する。
【０００８】
上記磁束整流板は、上記ポールの対向面縁部からギャップ外方に向かって薄くなるように離反する、楔状突き出し部分を有することが好ましい。
【０００９】
本発明において、上記コアは、少なくとも上記ポールが矩形の断面をもつ一定太さのＣ字型とすることが実際的である。上記磁束整流板は、上記ポールの対向する外周面または全外周面に設けることが好ましい。上記磁束整流板は、上記コイルコアとは別体として形成され、前記ポールの外面に貼ることが好ましい。
【００１０】
また、本発明は、上記コアを、少なくとも上記ポールが円形の断面をもつ一定太さのＣ字型とすることができる。上記磁束整流板は、上記ポールに嵌合される円筒形状とすることが好ましい。
【００１１】
本発明の平行磁界を発生させるコイルコアにあってはさらに、上記コアが正方向形または円形の断面の場合は一辺の長さまたは太さを３、上記コアが長方形の断面の場合は幅を３奥行きを３以上とし、上記磁束整流板の厚さを０．５、ギャップ長を４、上記Ｃ字型コアの内径を１０×４以上として、上記磁束整流板の楔状突き出し部分の長さを０．３２〜０．３５とすることが好ましい。さらに好ましい実施形態では、上記整流板の縦方向の長さは２以上とする。
【発明の効果】
【００１２】
磁束整流板により、磁束は磁束整流板の先端に集中するために、ギャップの周辺部分に磁束がカーテン状に強く分布する。このカーテン上の磁束によりギャップ中央部の磁束は外側に漏れず閉じ込められるため、磁束密度分布を平行磁界に近づけることができる。
さらに本発明の磁束整流板を備えたギャップ形状により、ギャップ長とギャップ幅がほぼ等しく、ギャップ面が平坦な従来例に比較して、ギャップ内部の磁束密度分布のばらつきが数分の一〜１０分の一程度にまで改善される。
請求項４記載発明によれば、中心となるポールに、直線カットにより形成される磁束整流板を貼ることができるので、コストの上昇を抑えることができる。
【発明を実施するための最良の形態】
【００１３】
本発明について、添付図面に示した最良の形態に基づいて説明する。図１には、Ｃ字型のコアを有する実施形態を示していて、（Ａ）は側面図、（Ｂ）は正面図、（Ｃ）は平面図である。
【００１４】
このコイルコア１１は、正方形の断面をもつ一定太さのＣ字型のコア１３を備えている。Ｃ字型のコア１３は、一対のポール１３ａの間に、ギャップ１５が形成されている。なおコイルコア１１は、通常、積層ケイ素鋼鈑、フェライト等の材料により製造される。
【００１５】
ポール１３ａのギャップ１５付近には、磁束整流板２１が設けられている。この磁束整流板２１は、ギャップ１５方向に突出する先端部が、ポール１３ａの対向平面１３ｄの縁部からギャップ１５の外方に向かって薄くなるように離反する、楔状突き出し部分２３を備え、全体側面形状が台形となるように形成されている。この磁束整流板２１が、ポール１３ａの対向平面１３ｄを囲むように設けられている。磁束整流板２１は、コア１３とは別体として形成することが好ましいが、材料はコア１３と同様の、積層ケイ素鋼鈑、フェライト等でよい。
【００１６】
このコイルコア１１には、一対のポール１３ａの対向平面１３ｄとは反対側の両端部から横方向（ギャップ間の磁束と直交する方向）に平行に延びる横部分１３ｂにコイル１７が捲回される（図２参照）。コイル１７は、コア１３の縦部分１３ｃに捲回してもよいが、ポール１３ａにより近い横部分１３ｂに捲回する図示実施形態の方が効率がよい。
【００１７】
このコイル１７に電流が流れると、コア１３を周回する磁束が発生し、図２に示したような磁束が発生する。この図から明らかなように、この磁束整流板２１により、磁束は磁束整流板２１の楔状突き出し部分２３の先端に集中するため、ギャップ１５の周辺部分にギャップ１５を囲むカーテン状に強い磁束が分布する。このカーテン上の強い磁束分布により、ギャップ１５中央部の磁束は外側に漏れずに閉じ込められるため、ギャップ１５の中央に長方形で示した中央部分３１内における磁束密度分布が平行磁界に近づく。
【００１８】
この実施形態において、ギャップ１５内の磁束をより平行磁界に近づけるためには、コア１３のサイズと磁束整流板２１の寸法の比率が重要である。このコア１３の正方形断面一辺の長さを３とした場合、磁束整流板２１の厚さを０．５、ギャップ長を４とし、Ｃ字型コアの内径を１０×４以上取ったときに、磁束整流板２１の楔状突き出し部分２３の長さｄは、０．３２〜０．３５であることが望ましい。なお、コア１３の断面は長方形または円形でもよいが、長方形断面の場合は幅を３、奥行きを３以上とし、円形断面の場合は直径を３とし、他は上記正方形断面の場合と同一とする。
【００１９】
図２に示したコイルコア１１は、以上の寸法比率で形成してある。この実施形態によれば、ギャップ１５の中央部分３１では、長さ３、幅０．３（一辺０．３、長さ３の円柱部分）において磁束密度のばらつきを１％以内に抑えることができる。
【００２０】
以上のコイルコア１１の寸法は無次元数としたが、比例関係が保たれていれば、精度は実寸法に依存しない。
なお、磁束整流板２１の縦方向の長さＬは、２以上にすることが望ましい。
【００２１】
以上の実施形態において、磁束整流板２１は平板状とし、側面が楔形の台形となるように突き出し部分２３を形成したが、これは中心となる断面正方形のコア１３（ポール１３ａ）に接着等により簡単に付加することができるからである。磁束整流板２１は、コア１３（ポール１３ａ）の４つの外周面に設けることが好ましいが、対向する一対の面だけでも一定の効果が得られる。
また、磁束整流板２１をコア１３（ポール１３ａ）と一体成型してもよい。
【００２２】
他の実施形態、例えば、コアを断面円柱型とし、磁束整流板をギャップ周りに突き出しのある円筒状（シリンダ状）に形成して、ポールに嵌合装着する構成でもよい。
【００２３】
また、コア近傍に保護すべき磁性体４１が存在し、それの磁性体４１に対して磁場をかけたくない場合は、図３に示したように、ギャップ１５側を開放して磁性体４１を囲むコ字形状の磁束バイパス部材４３を設ける。この場合でも、上記磁束整流板２１の効果により、ギャップ１５内部の磁束分布の乱れを大幅に少なくすることができる。
【図面の簡単な説明】
【００２４】
【図１】本発明を適用したコアコイルのコア部分の実施形態を示す図であって、（Ａ）は側面図、（Ｂ）は正面図、（Ｃ）は平面図である。
【図２】同実施形態のコアコイルの側面図および磁束分布のシミュレーション結果を示す図である。
【図３】同実施形態において、ギャップ近傍に磁束バイパス部材を配置した場合の磁束分布のシミュレーション結果を示す図である。
【図４】従来のコアコイルを示す図であって、（Ａ）はＣ字型のコアコイル、（Ｂ）は合わせＥ字型のコアコイルを示す図である。
【図５】従来のＣ字型のコアコイルの磁束分布を説明する図である。
【符号の説明】
【００２５】
１１  コイルコア
１３  コア
１３ａ  ポール
１３ｂ  横部分
１３ｃ  縦部分
１３ｄ  対向平面
１５  ギャップ
２１  磁束整流板
２３  楔状突き出し部分
【図１】
2009004696.tif 000003
【図２】
2009004696.tif 000004
【図３】
2009004696.tif 000005
【図４】
2009004696.tif 000006
【図５】
2009004696.tif 000007